Podtech/llm-jp-corpus-v4-ja_patent huggingface dataset:
(57)【要約】【課題】  本考案は衣類生地の縫い合わせ部の、元生地と厚みに差異が生じた箇所を美しく、ずれ難く、簡易に挟む衣類用クリップを提供する物である。【解決手段】  縫い合わされた生地の厚み差を考慮し、舌状の挟み込み部分５に溝状の高低差２を設ける事で、生地厚みの違いに対応し、ステッチ部位でもズレ・歪みを防ぎ、挟み込んだ状態・位置を保持する。【選択図】図３
0003128900.tif 000002
【実用新案登録請求の範囲】
【請求項１】
一対の舌片からなる挟み部と該挟み部の少なくとも一方の挟み面には、サイドステッチ部挿入安定手段を有することを特徴とする衣類用クリップ。
【請求項２】
前記挿入安定手段は、高低部を設けてなることを特徴とする請求項１記載の衣類用クリップ。
【考案の詳細な説明】
【技術分野】
【０００１】  本考案は樹脂又は金属からなる衣類用クリップに関する。
【背景技術】
【０００２】  ジーンズやコットンパンツは縫製によって製造され、厚手の生地が縫い合わされた部分は、硬く・厚くなり素材布より数段厚みを増すが、それに対応した衣料用クリップは存在しなかった。
【考案の開示】
【考案が解決しようとする課題】
【０００３】  幼児・子供用ズボンは長い物を購入し最初は裾を折り返して長さを調整し、成長に合わせて、徐々に伸ばす事でサイズ調整するが、折り返した裾がズレ落ち、引きずることがあり、歩きにくくなるが、洗濯バサミ・書類用クリップのような物で止めると不恰好であるし、サイドステッチ部の盛り上がりが邪魔になって巧く固定できない等の問題があった。
【課題を解決する為の手段】
【０００４】  本考案は、挟み込み面に高低差部を設けることにより、ステッチ盛り上がり部分をかわし、抱え込むように挟むことで、挟み器具のズレ・歪みを防ぎ、器具本体をはずれにくくし，簡易に裾・袖部に取り付け、挟むことを可能に出来る。
【考案を実施するための最良の形態】
【０００５】  図１は、本考案の衣料用クリップ成型前の板状素材斜視図で、図１において１は成型前素材で、２は溝である、溝は高低差部を構成する、サイドステッチ挿入安定手段で、図面形状は一態様である。【０００６】  図２は成型後側面図である，図２において３は素材面どおりフラットな面であるが、一態様であり、摩擦を増やし保持力を高める為等の理由で、突起のある形状でも良い、またタップ等を施しボルトを付与する方法等で、保持力を高めることも可能である。【０００７】  図２において４は成型後Ｕ字部であるが一態様であり、挟み力を増し補う為ヒンジ及びスプリング・磁力等を用いることも可能であり、Ｕ字形状部分が無く、フラットな面どうしを磁力等で挟むことも可能である、また挟む相手形状に合わせるため形を変えることも可能である。【０００８】  図２において５は生地挿入挟み部であるが３の面形状が変われば、形が変わることもありえる。【０００９】  図３は本考案に係る衣料用クリップの成型後斜視図である。図１様の材を成型し、図２・図３様にする、板状素材として、鉄・アルミニウム・銅・真鍮等の金属・合金、又はプラスチック（例えばポリエチレン・ポリプロピレン等）・セラミック等等を用いることができ板状素材を用いなくとも、型等を使って流し込む方法等も可能である。【００１０】  図３において６はサイドステッチ挿入安定手段で、生地が折り重なり、厚く硬く成った部位を溝に添って挿入する。
【考案の効果】
【０００８】  本考案に係る衣料用クリップは簡易な構造である為、軽量安価に製造でき、様々なデザイン・カラーを施すことができ、サイドステッチに添ってまっすぐに取り付く為、実用だけでなく、アクセサリーとしても用いることができる、優れた物である。
【図面の簡単な説明】
【０００９】
【図１】  成型前素材の斜視図である。
【図２】  本考案に係るクリップの側面図である。
【図３】  本考案に係るクリップの成型後斜視図である。
【符号の説明】
【０００９】  １    成型前素材
２    高低差部の一態様
３    舌状の挟み部
４    成型後Ｕ字部
５    生地挿入挟み部
６    サイドステッチ挿入安定手段
【図１】
0003128900.tif 000003
【図２】
0003128900.tif 000004
【図３】
0003128900.tif 000005
(57)【要約】      （修正有）【課題】弓の製作工程の中で反り加工後、籐巻き前後に施す事も可能で、仕上げ加工時により天然竹材の様に外観を整える。【解決手段】（１）硬化性パテを節状に盛付け  それが硬化後  表面硬強度が高い塗料を施す。（２）竹節様断面の型材を硬化性接着剤で固定し、竹節様彩色と補強塗装を施す。【選択図】図１
0003128891.tif 000002
【実用新案登録請求の範囲】
【請求項１】
ＦＲＰなどへコクソ漆などで節を設えた人造竹弓。
【請求項２】
ＦＲＰなどへ節状造形物を固定した人造竹弓。
【考案の詳細な説明】
【技術分野】
【０００１】  本考案は、日本弓道用人造和弓に  本来在るべき節々を備える事により、より伝統和弓に近い人造竹弓を造り、弓道鍛錬の一助と成る事を願うものである。
【背景技術】
【０００２】  従来人造和弓は  構造部材そのままに  上切詰籐から下切詰籐まで  全く平な力学形状で、弾性のみ考えれば  最適かも知れないが、所作や  矢番え、引き分け、会に至る行射での  所作動作の節々を知る目標が無い事は  やはり不都合な事である。【０００３】和弓の材料である天然の竹材も  節々の位置が揃い難く、いっそ無い事を好む人も居るが、やはり在るのが本来だから、各自が保有する弓は  内竹に６ケ所、外竹に７ケ所  誰でも  同様の位置に節が在る事が望ましい。
【考案の開示】
【考案が解決しようとする課題】
【０００４】  元来等径で真っ直ぐな人造竹弓に  必要にして充分な強度の節を後加工で設し、それが竹弓の性能を損ねる事は許されない
【課題を解決するための手段】
【０００５】  そこで本考案では、竹弓所定の１３位置へ  コクソ漆など硬化性パテを節状に盛付け  それが硬化後  表面硬・強度が高い塗料を施し  恰も竹弓の如く仕上げ、又は  節状の型材を接着し  それを覆う様に補強塗装する。
【考案の効果】
【０００６】  本考案の節は弓の製作工程の中程  反り加工後、籐巻き前後に施す事も可能で、仕上げ加工時  より天然竹材の様に外観を整える事が可能である。
【考案を実施するための最良の形態】
【０００７】  図１の１の通り  関板加工・楔打ち・反り曲り確認の後に節の位置決めをする。
次に  ２の通り  節位置を下地処理加工し、コクソ漆など盛付け又は型材接着をする。
次に  ３の通り  村取り加工・彩色加工・籐巻き加工の後  仕上塗装加工する。
【実施例１】
【０００８】  図２の１の通り  二液型硬化性エポキシパテで竹節の様な断面の突起を造る。
次に  ２の通り  竹節様の色彩とし、表面硬度の高い補強用塗装を施す。
【実施例２】
【０００９】  図３の１の通り  竹節の様な断面をした繊維性浸透性帯を別途製作し、準備する。
次に  ２の通り  浸透性硬化性接着剤で固定し、竹節様彩色と補強塗装を施す。
【産業上の利用可能性】
【００１０】  天然の竹材を模した国内外材は種々応用されているが、節を任意の位置へ施す事は困難であった。当考案によれば容易に施す事ができる。
【図面の簡単な説明】
【００１１】
【図１】人造竹弓の請求項１と２に関わる作成工程を示す図である。
【図２】人造竹弓の請求項１に関わる作成工程を示す図である。
【図３】人造竹弓の請求項２に関わる作成工程を示す図である。
【符号の説明】
【００１２】１  人造竹ゆみの素材
２  二液型硬化性エポキシパテ
３  補強用塗装
４  繊維性浸透性帯
５  浸透性硬化性接着剤
【図１】
0003128891.tif 000003
【図２】
0003128891.tif 000004
【図３】
0003128891.tif 000005
【手続補正書】
【提出日】平成18年6月28日(2006.6.28)
【手続補正１】
【補正対象書類名】実用新案登録請求の範囲
【補正対象項目名】全文
【補正方法】変更
【補正の内容】
【実用新案登録請求の範囲】
【請求項１】
ＦＲＰ弓の所定の箇所へ、コクソ漆など硬化性パテで、節状に造形することにより成る人造和弓。
【請求項２】
ＦＲＰ弓の所定の箇所へ、竹節の様な断面形状の繊維性浸透性帯を接着し、一体化した人造和弓。
【手続補正書】
【提出日】平成18年10月23日(2006.10.23)
【手続補正１】
【補正対象書類名】実用新案登録請求の範囲
【補正対象項目名】全文
【補正方法】変更
【補正の内容】
【実用新案登録請求の範囲】
【請求項１】
ＦＲＰ弓の所定の箇所へ、コクソ漆など硬化性パテで、節状に造形することにより成る人造和弓。
【手続補正２】
【補正対象書類名】明細書
【補正対象項目名】全文
【補正方法】変更
【補正の内容】
【考案の詳細な説明】
【技術分野】
【０００１】  本考案は、日本弓道用人造和弓に  本来在るべき節々を備える事により、より伝統和弓に近い人造和弓を造り、弓道鍛錬の一助と成る事を願うものである。
【背景技術】
【０００２】  従来人造和弓は  構造部材そのままに  上切詰籐から下切詰籐まで  全く平らな力学形状で、弾性のみ考えれば  最適かも知れないが、所作や  矢番え、引き分け、会に至る  行射での所作動作の節々を知る目標が無い事は  やはり不都合な事である。【０００３】  和弓の材料である天然の竹材も  節々の位置が揃い難く、いっそ無い事を好む人も居るが、やはり  在るのが本来だから、各自が保有する弓は  内竹に６ヶ所、外竹に７ヶ所  誰でも同様の位置に節が在る事が望ましい。
【考案の開示】
【考案が解決しようとする課題】
【０００４】  元来等径で真っ直ぐな人造竹弓に  必要にして充分な強度の節を後加工で施し、それが人造竹弓の性能を損ねる事は許されない。
【課題を解決するための手段】
【０００５】  そこで本考案では、竹弓所定の１３位置へ  コクソ漆など硬化性パテを節状に盛付けそれが硬化後  表面硬・強度が高い塗料を施し、恰も竹弓の如く仕上げる。
【考案の効果】
【０００６】  本考案の節は  弓の製作工程の中程  反り加工後、籐巻き前後に施す事も可能で、仕上加工時  より天然竹材の様に外観を整える事が可能である。
【考案を実施するための最良の形態】
【０００７】  図１の通り  関板加工・楔打ち・反り曲がり確認の後に  節の位置決めをする。
次に  節位置を下地処理加工し、コクソ漆など硬化性パテを節状に盛付ける。
次に  村取り加工・彩色加工・籐巻き加工の後  仕上塗裝加工する。
【実施例１】
【０００８】  図２の通り  二液型硬化性エポキシパテで  竹節の様な断面の突起を造る。
次に  竹節様の彩色を施し、更に  表面硬度の高い補強用塗装を施す。
【産業上の利用可能性】
【０００９】  天然の竹材を模した国内外材は種々応用されているが、節を任意の位置へ設える事は困難であった。そこで  当考案に依れば  容易に設える事ができる。
【図面の簡単な説明】
【００１０】
【図１】人造竹弓の請求項１に関わる作成工程を示す図である。
【図２】人造竹弓の所定の位置に設けられた人造節の断面構造を示す図である。
【符号の説明】
【００１１】    １  人造竹弓の素材
２  二液型硬化性エポキシパテ
３  補強用塗装
【手続補正３】
【補正対象書類名】図面
【補正対象項目名】図３
【補正方法】削除
【補正の内容】
(57)【要約】      （修正有）【課題】本考案は、鳥かごやペットゲージをアクリルケースに収納することで、ゴミの飛散防止、鳴き声等の防音効果、空調によるペットの体調悪化防止、見た目を美しくすることを目的としている。【解決手段】本考案は、土台部分1にアクリルケース2を連結し、扉3を蝶番4により土台部分1と連結する。また、蓋7を取り外し可能とし、土台部分1には好みの柄をつけることができる。この中に鳥かごやペットゲージを入れることでゴミの飛散防止、鳴き声等の防音効果、空調によるペットの体調悪化防止、見た目を美しくするのに役立つ。【選択図】図２
0003128894.tif 000002
【実用新案登録請求の範囲】
【請求項１】
土台部分の上にアクリル製の箱を連結。箱の前面は扉として機能する。土台部分には好みの柄をつけることが可能である。又、上部には蓋が設置できるものとする。この中にペットゲージ(鳥かご等)をそのまま収納、鑑賞できることを特徴としたアクリル製鑑賞ケース。
【考案の詳細な説明】
【技術分野】
【０００１】
本考案は、前部に開閉式扉、上部に取り外し可能な蓋、連結した土台部分は好みの柄をつけることが出きる。鳥かごやペットゲージを収納、鑑賞するアクリル製ケースに関するものである。
【背景技術】
【０００２】
鳥や小動物を飼育する時は、鳥かごやペットゲージのみで世話をしている場合が多い。
【考案の開示】
【考案が解決しようとする課題】
【０００３】
鳥かご・ペットゲージのみの飼育の場合、ゴミは外に散らばり、鳴き声等の音は外に筒抜けである。また、室内飼になると空調が直接あたるのでペットの健康上好ましくない。
【課題を解決するための手段】
【０００４】
本考案は、土台部分にアクリルケースを連結し、前面を開閉式の扉、上部を取り外すことができる蓋としている。扉の下部に蝶番(これを土台部分と連結)、上部にマグネットをつけることで下に向かって開くが、さらにチェーンを付けて一定以上開かないようにしている。土台部分には希望により好みの柄を貼り付ける。このケースに鳥かごやペットケー
スを入れることで上記（０００３）の問題点が解決する。
【考案の効果】
【０００５】
上記のケースに入れることで、ゴミの外への飛散を防ぎ、鳴き声等の音を軽減することが出来る。さらに空調が直接あたるのを防ぎ、見た目を美しくする。
【考案を実施するための最良の形態】
【０００６】
扉に付けた取っ手を引き扉を下に開く。そしてケース内に鳥かごやペットゲージをそのまま収納する(扉はマグネットで開閉可能)。えさやり、水換えなどの世話は扉を開けて行なう。扉と本体側面内側にチェーンを付けることで扉が一定以上開くのを防いでいる。蓋には空気穴を開けているが、夏期などケース内の温度が気になる場合は蓋を取り外しても構わない。冬場はパネルヒーターなど、空気穴からコンセントを通して使用可能。アクリルの特製上、板が反る心配があるため直射日光は避けたほうがよく、火気からはできるだけ離しての使用となる。
【実施例】
【０００７】
以下、添付図面に従って一実施例を説明する。１は土台部分、2は土台部分1と連結するアクリルケース(この時点で扉と蓋はついていない)で、1と2はビス等を使って連結する。3は扉、4は蝶番で、4により1と3を連結する。6はマグネットでこれにより扉3の開閉可能。5のチェーンを内側に取り付けることで一定以上に開きすぎるのを防ぐ。7は蓋を指し、７bの空気穴を開けている。尚、3ａは扉3の取っ手、７ａは蓋7の取っ手である。
【０００８】
まず取っ手３ａを手前に引き扉3を開く。この中に鳥かごやペットゲージをそのまま収納。えさやり、水換え、掃除等は扉3を開閉して行なうことになる。夏期には蓋7を取り外して使用してもよい。冬場は空気穴7ｂからコンセントを通してパネルヒーター等を使用することも可能である(勿論、蓋7だけでなくケース本体2に穴を開けて、空気穴・コンセント穴にすることも可)。土台部分1に関してはカッティングシートやその他市販の様々なシートを貼ったりすることで好みの柄を実現する。
【図面の簡単な説明】
【０００９】
【図１】本考案の鳥かご鑑賞ケースの一実施例を示す正面図
【図２】本ケースの扉・蓋を開いた状態の側面図
【図３】本ケースの蓋部分を上から見た図
【符号の説明】
【００１０】
１  土台部分
２  土台部分に連結するアクリルケース
３  扉
４  蝶番
５  チェーン
６  マグネット  
７  蓋
【図１】
0003128894.tif 000003
【図２】
0003128894.tif 000004
【図３】
0003128894.tif 000005
【手続補正書】
【提出日】平成18年7月26日(2006.7.26)
【手続補正１】
【補正対象書類名】実用新案登録請求の範囲
【補正対象項目名】請求項１
【補正方法】変更
【補正の内容】
【請求項１】
好みの柄をつけることが可能な土台部分の上に、前面が扉、上部が蓋として機能するアクリル製の箱を連結し、この中にペットゲージ(鳥かご等)をそのまま収納・鑑賞できることを特徴としたアクリル製鑑賞ケース
【手続補正書】
【提出日】平成18年9月14日(2006.9.14)
【手続補正１】
【補正対象書類名】実用新案登録請求の範囲
【補正対象項目名】請求項１
【補正方法】変更
【補正の内容】
【請求項１】
好みの柄をつけることが可能な土台部分の上に、前面が扉、上部が蓋として機能するアクリル製の箱を連結し、この中にペットゲージ，鳥かごをそのまま収納・鑑賞できることを特徴としたアクリル製鑑賞ケース
(57)【要約】【課題】一本の櫛本体に対して、彫刻の図柄、刻設場所の相違によって、多種の櫛ケースを適用でき、かつ使用時に、櫛ケースを把持することができる櫛ケースの提供【解決手段】この考案の櫛ケースは、上面１又は下面２又は上下面１，２の一部又は全面に彫刻３を刻設しているので、彫刻３の図柄を動物、自然の風景、果物等の静止物、丸、三角、四角等の抽象的な図柄にすることにより、一本の櫛本体に対して、図柄の異なる複数個の櫛ケースを適用することができる上に、使用時には、櫛ケースを把持できるという効果を呈する。【選択図】 図１
0003128319.tif 000002
【実用新案登録請求の範囲】
【請求項１】
片面又は両面の一部又は全面に彫刻を刻設したことを特徴とする櫛ケース
【考案の詳細な説明】
【技術分野】
【０００１】
本考案は櫛ケースに関するものである。
【背景技術】
【０００２】
櫛には、ケース付きとケースが付かないものがある。ケース付き櫛は、使用時にケース部分を握りとして使用し、使用しないときには、、櫛本体をケースの中に折り畳める構造になっており、ケースを櫛本体から分離できないので、ケースを自由に取り替えることができないという問題点があった。
【０００３】
ケースが付かない櫛は、使用時には、櫛本体を直接把持しなければならないという問題点の上に、使用しないときには、櫛本体がむきだしになっているので、見栄えがわるいという問題点があった。
【特許文献１】実開昭６２−１３６８１８号公報
【考案の開示】
【考案が解決しようとする課題】
【０００４】
この考案は、背景技術で記述した問題点を解消するためになされたもので、一本の櫛本体に対して、彫刻の図柄、刻設場所の相違によって、使用環境に合致した多種の櫛ケースを適用でき、かつ使用時に、櫛ケースを把持することができる櫛ケースの提供を目的とするものである。
【課題を解決するための手段】
【０００５】
この考案の櫛ケースは、上面又は下面又は上下面の一部又は全面に彫刻を刻設したことを特徴とするものである。
【考案の効果】
【０００６】
この考案は上述のように構成されているので、次のような効果を呈する。
（１）一本の櫛本体に対して、彫刻の図柄の相違、彫刻の刻設場所の相違によって、多種の櫛ケースを適用できる。
（２）彫刻の図柄、刻設場所によって、好みのものを自由に選択できる。
（３）使用時に、櫛ケースを把持することができる。
【考案を実施するための最良の形態】
【０００７】
一本の櫛本体に対して、彫刻の図柄、刻設場所の相違によって、多種の櫛ケースを適用でき、かつ使用時に、櫛ケースを把持することができる櫛ケースの提供という目的を、櫛ケースの上面又は下面又は上下面の一部又は全面に彫刻を刻設することにより実現できた。
【実施例】
【０００８】
この考案の実施の一例を図面を参照しながら説明する。図１〜図２に示すように、上面１又は下面２又は上下面１，２の一部又は全面に彫刻３を刻設している。
【０００９】
図１は、上面１に彫刻３を刻設した場合のみを示し、下面２に彫刻３を刻設した場合は、省略している。なお、図１の点線部分は、櫛本体を示す。
【００１０】
櫛ケースの材質については、特に制限はなく、つげ等の木質又はビニル、ポリエチレン等のプラスチックであってもよい。
【００１１】
彫刻３の図柄については、特に制限はなく、動物、自然の風景、果物等の静止物、丸、三角、四角等の抽象的な図柄等がよく使用される。
【００１２】
また、図柄には色彩を施してもよく、特にプラスチックを使用する場合には、顔料を混和した色つきペレットを素材としてもよい。
【００１３】
通常、櫛本体が木質からなる場合には、櫛ケースの材質も櫛本体と同じ木質からなることが好ましく、保管中の湿気、乾燥等による櫛ケースや櫛本体の膨張、収縮等に起因する不具合を最小限に抑えることができる。
【産業上の利用可能性】
【００１４】
一本の櫛本体に対して、彫刻の図柄等の相違する多種の櫛ケースを適用でき、使用場所や雰囲気に最もマッチした櫛ケースの選択が可能である。
【図面の簡単な説明】
【００１５】
【図１】考案の一実施例を示す平面図
【図２】考案の一実施例を示す側面図
【符号の説明】
【００１６】
１  上面
２  下面
３  彫刻
【図１】
0003128319.tif 000003
【図２】
0003128319.tif 000004
(57)【要約】【課題】迅速に熱を吸引してチップ及び高熱エネルギーユニットを冷却する故、産業利用価値を向上させることを特徴とする繊維放射状ヒートシンクの提供。【解決手段】本考案の提供する繊維放射状ヒートシンクは、そのヒートシンクの束環内に無数の0.05〜0.2ｍｍの高伝導散熱材質繊維体を嵌設、各繊維体は上方向に適当距離を保って延伸、放射状を成しており、また、繊維体は各種環境の需要に応じて編んだ散熱ネットとすることも可能であり、電子（パソコン）メイン機外部に延伸させると、散熱空間表面積は倍増して周辺気体の熱吸引の加速効果を達成、一体繊維式の高伝導散熱表面構造によって、迅速に熱吸引をしてチップ及び高熱エネルギーユニットを冷却する産業利用価値を向上させることを特徴とする。【選択図】図１
0003128339.tif 000002
【実用新案登録請求の範囲】
【請求項１】
繊維放射状ヒートシンクは、高伝導散熱材質の繊維体を束環内に嵌入固定し、その各繊維体下端は研磨して平坦にし、一体にして散熱したいチップ表面に付着させ、また、各繊維体は上方向に適当間隔を保って延伸した放射状を成し、各高伝導散熱材質の繊維体空間分布により、周辺気体の熱を迅速に吸引しチップ冷却散熱効果を達成することを特徴とする繊維放射状ヒートシンク。
【請求項２】
請求項１記載の繊維放射状ヒートシンクにおいて、前記ヒートシンクの束環外にサポート枠を設けファンを取り付けることにより、外からの風によって繊維体の熱を取り除くのを加速することを特徴とする繊維放射状ヒートシンク。
【請求項３】
請求項１もしくは請求項２記載の繊維放射状ヒートシンクにおいて、各繊維体は、延伸させて編んだ散熱ネットの構造とすることを特徴とする繊維放射状ヒートシンク。
【考案の詳細な説明】
【技術分野】
【０００１】
本考案は、迅速に熱を吸引してチップ及び高熱エネルギーユニットを冷却、産業利用価値の向上が可能な繊維放射状ヒートシンクを提案する。
【背景技術】
【０００２】
現在の一般電子商品は概ね、抵抗器、コンデンサ、ＬＥＤ、チップ、インタフェースカード、ＣＰＵ等基本ユニットにより構成されており、ＣＰＵ演算ユニットで制御されてから、各チップの分層管理演算に送られているが、このようにＣＰＵとチップが日に日に先進的なソフト演算を複雑にしていく中、それらはその他部品と比較してかなり大きな熱エネルギーを発生、これらの熱を排出しない場合は、そのもの自体の使用寿命を低下させて更には燃焼に至らせる他、周辺機器の損耗を加速させる。そこで公知技術の散熱デバイスは、アルミニウムプレス型ヒートシンク構造により熱を吸収しているが、アルミ製品の散熱表面面積は少なく冷却効率も悪く、現在の高速ＣＰＵの散熱要求には符合できなくなっており、冷却器業界においては、突破口への期待が非常に高まっている。
【考案の開示】
【考案が解決しようとする課題】
【０００３】
本考案の繊維放射状ヒートシンクは、特に、ヒートシンクの束環内に無数の高伝導散熱材質の繊維体を嵌設、各繊維は上方向に適当な間隔を保って放射状に延伸しており、散熱空間の表面面積を倍増して周辺気体の熱吸引効果を加速させることを特徴とする繊維放射状ヒートシンクの提供を主な目的とする。
【０００４】
また、その高伝導散熱材質の繊維体は各種環境需要に応じて、編まれた散熱ネットとすることを特徴とする繊維放射状ヒートシンクの提供を次の目的とする。
【課題を解決するための手段】
【０００５】
請求項１の考案は、繊維放射状ヒートシンクは、高伝導散熱材質の繊維体を束環内に嵌入固定し、その各繊維体下端は研磨して平坦にし、一体にして散熱したいチップ表面に付着させ、また、各繊維体は上方向に適当間隔を保って延伸した放射状を成し、各高伝導散熱材質の繊維体空間分布により、周辺気体の熱を迅速に吸引しチップ冷却散熱効果を達成することを特徴とする繊維放射状ヒートシンクとしている。
請求項２の考案は、請求項１記載の繊維放射状ヒートシンクにおいて、前記ヒートシンクの束環外にサポート枠を設けファンを取り付けることにより、外からの風によって繊維体の熱を取り除くのを加速することを特徴とする繊維放射状ヒートシンクとしている。
請求項３の考案は、請求項１もしくは請求項２記載の繊維放射状ヒートシンクにおいて、各繊維体は、延伸させて編んだ散熱ネットの構造とすることを特徴とする繊維放射状ヒートシンクとしている。
【考案の効果】
【０００６】
本考案の繊維放射状ヒートシンクは、迅速に熱を吸引してチップ及び高熱エネルギーユニットを冷却、産業利用価値向上を可能にすることを特徴とする。
【考案を実施するための最良の形態】
【０００７】
図１〜３に示すとおり、本考案の繊維放射状ヒートシンクは、0.05〜0.2ｍｍの高伝導散熱材質の繊維体1を束環2に嵌入して挟圧固定し、その各繊維体1下端は研磨して平坦にし、一体にして散熱したいチップ表面に付着させ、また、各繊維体1は上方向に適当距離を保って延伸し、並びに放射状である点は、本案の主要構造の特徴である。
【０００８】
本考案の実施は、一般の散熱チップに応用してチップ表面に直接付着するものであるが、各高伝導散熱材質の繊維体1分布により、周辺気体の熱を迅速に吸引しチップ冷却散熱効果を達成する。また、特殊ＣＰＵの高熱エネルギーユニットに使う場合は、図１に示すとおり、ヒートシンクの束環2にサポート枠3を追加しファン5を増設することにより、外からの風によって繊維体1の熱を取り除くのを加速、周辺気体の熱吸引を倍増して迅速冷却効果を達成する。図５には、その繊維体1は各種環境の需要に応じて延伸させて編んだ散熱ネットとし、散熱空間表面積を増加させた応用変化特性を示しており、本案の産業利用価値を大幅に向上させている。
【図面の簡単な説明】
【０００９】
【図１】本考案の一良好実施例図である。
【図２】本考案の部品分解図である。
【図３】本考案の部品組立図である。
【図４】本考案の別の構造断面図である。
【図５】本考案の繊維を編んで延伸させた散熱ネットの表示図である。
【符号の説明】
【００１０】
１      繊維体
２      束環
３      サポート枠
５      ファン
【図１】
0003128339.tif 000003
【図２】
0003128339.tif 000004
【図３】
0003128339.tif 000005
【図４】
0003128339.tif 000006
【図５】
0003128339.tif 000007
(57)【要約】【課題】 車のユーザーをやけどから守るとともに、ドレスアップ効果も付加したラジエターキャップ用カバーを提供する。【解決手段】  略円板状部分6aの周上２カ所に張り出し部6bが形成された頂壁6を有するラジエターキャップ4取り付けられるカバー11であって、耐熱樹脂製で形成されており、ラジエターキャップ4の頂壁6に着脱自在に被せられる本体12と、本体12に一体に設けられた把手部13とからなる。【選択図】    図３
0003128336.tif 000002
【実用新案登録請求の範囲】
【請求項１】
略円板状部分の周上２カ所に張り出し部が形成された頂壁を有するラジエターキャップに取り付けられるカバーであって、耐熱樹脂製で形成されており、ラジエターキャップの頂壁に着脱自在に被せられる本体と、本体に一体に設けられた把手部とからなることを特徴とするラジエターキャップ用カバー。
【請求項２】
本体は、頂壁および１対の周壁からなり、各周壁は、ラジエターキャップの頂壁の略円板状部分周面にほぼ沿うように形成されており、１対の周壁の間は、ラジエターキャップの頂壁に設けられた張り出し部を収める部分として使用されていることを特徴とする請求項１のラジエターキャップ用カバー。
【考案の詳細な説明】
【技術分野】
【０００１】
本考案は、車のラジエターに取り付けられているラジエターキャップ用のカバーに関する。
【背景技術】
【０００２】
ラジエターは、高温の冷却水が入ってくるため、キャップを不用意に触るとやけどする危険性がある。特許文献１には、自動車のラジエター液が高温、高圧であっても安全にキャップを外すことができるようにした、ラジエターキャップの外し具が提案されている。
【特許文献１】特開平１１−３４７９５９号公報
【考案の開示】
【考案が解決しようとする課題】
【０００３】
上記特許文献１のラジエターキャップの外し具は、給油所などで使用するのに便利な工具であり、保管場所が必要、ドレスアップ効果がないなどの点で、一般の車のユーザーが使用するには適していない。
【０００４】
この考案の目的は、車のユーザーをやけどから守るとともに、ドレスアップ効果も付加したラジエターキャップ用カバーを提供することにある。
【課題を解決するための手段】
【０００５】
この考案によるラジエターキャップ用カバーは、略円板状部分の周上２カ所に張り出し部が形成された頂壁を有するラジエターキャップに取り付けられるカバーであって、耐熱樹脂製で形成されており、ラジエターキャップの頂壁に着脱自在に被せられる本体と、本体に一体に設けられた把手部とからなることを特徴とするものである。
【０００６】
耐熱樹脂としては、例えば、ポリカーボネートが使用されるが、これに限定されるものではない。
【０００７】
把手部は、例えば、ラジエターキャップの頂壁張り出し部を覆うようにキャップ頂壁外周に１対の突出部を設けることによって形成されるが、これに限定されるものではない。
【０００８】
本体は、頂壁および１対の周壁からなり、各周壁は、ラジエターキャップの頂壁の略円板状部分周面にほぼ沿うように形成されており、１対の周壁の間は、ラジエターキャップの頂壁に設けられた張り出し部を収める部分として使用されていることが好ましい。
【考案の効果】
【０００９】
この考案のラジエターキャップ用カバーによると、耐熱樹脂製とされているので、触っても熱くなく、車のユーザーをやけどから守ることができる。また、取外し可能であり、カバーを取り付けた状態でラジエターキャップの開閉が可能であるので、保管場所を必要とせず、ボンネット内部のドレスアップ用品としても有効である。
【考案を実施するための最良の形態】
【００１０】
この考案の実施の形態を、以下図面を参照して説明する。
【００１１】
図１は、自動車用のラジエターおよびラジエターキャップを示している。ラジエター(1)は、冷却水の放熱を行う部品で、エンジンで温められた冷却水は、アッパーホース(2)からラジエター(1)内に送り込まれ、ラジエター(1)内部に設けられたラジエターコアを通過することにより冷却され、ロアホース(3)によってエンジンに戻される。ラジエターキャップ(4)は、プレッシャーバルブおよびバキュームバルブを内蔵する部分(5)を有しており、ラジエター(1)内部の圧力を調整することができる。ラジエターキャップ(4)には、ラジエータ(1)から突出している頂壁(6)が設けられており、この頂壁(6)には、略円板状部分(6a)と、略円板状部分(6a)の周面に設けられてラジエターキャップ(4)の回動を容易にするための張り出し部(6b)とからなる。エンジンの冷却水は高温となっており、その影響でラジエターキャップ(4)の頂壁(6)も高温となり、車のユーザーが不用意に触った場合にやけどする可能性がある。
【００１２】
図２から図４までは、この考案のラジエターキャップ用カバーを示している。ラジエターキャップ用カバー(11)は、ポリカーボネート製の一体成型品であり、ラジエターキャップ(4)の頂壁(6)に着脱自在に被せられる本体(12)と、本体(12)に一体に設けられた把手部(13)とからなる。
【００１３】
本体(12)は、頂壁(14)および１対の周壁(15)からなる。図３に示すように、１対の周壁(15)は、ラジエターキャップ(4)の頂壁(6)の略円板状部分(6a)周面にほぼ沿うように形成されており、１対の周壁(15)の間は、ラジエターキャップ(4)の頂壁(6)に設けられた張り出し部(6b)を収める部分として使用されている。
【００１４】
把手部(13)は、ラジエターキャップ(4)の頂壁張り出し部(6b)を覆うように頂壁(14)外周に設けられた１対の突出部(13a)(13b)によって形成されている。頂壁(14)の上面には、円形の凹所(16)が設けられ、この凹所(16)には、複数個のリブ(17)が周方向に等間隔で設けられている。頂壁(14)の下面には、中央にある大径の円形凹所(18)およびその周囲に配置された複数の小径の円形凹所(19)が設けられている。
【図面の簡単な説明】
【００１５】
【図１】この考案によるラジエターキャップ用カバーが使用される車の部分を示す分解斜視図である。
【図２】この考案によるラジエターキャップ用カバーを示す斜視図である。
【図３】この考案によるラジエターキャップ用カバーの底面図である。
【図４】図３のIV-IV線に沿う断面図である。
【符号の説明】
【００１６】
(4)     ラジエターキャップ
(6)     頂壁
(6a)    張り出し部
(11)    ラジエターキャップ用カバー
(12)    本体
(13)    把手部
(14)    頂壁
(15)    周壁
【図１】
0003128336.tif 000003
【図２】
0003128336.tif 000004
【図３】
0003128336.tif 000005
【図４】
0003128336.tif 000006
(57)【要約】【課題】本考案は、クロスの端を突き合わせにより生じる目地の見た目を向上させることが出来るクロス目地部材を提供すること。【解決手段】この考案にかかるクロス目地部材１は、クロス１０とクロス１０の目地に配され、クロス１０と壁面１２の間に位置する貼着部４及び該貼着部４から突出しクロス１０の端が接する立設部５とによって構成されるベース板２を備え、それから前記立設部５に形成された溝部６に係止する挿入部８及び前記立設部５を覆う目地隠し部７から構成される止め具３とを備えて構成されている。【選択図】  図１
0003128377.tif 000002
【実用新案登録請求の範囲】
【請求項１】
クロスとクロスの突き合わせに配され、クロスと壁面の間に位置する貼着部及び該貼着部から立設しクロスの端が接する立設部と、この立設部に形成された溝部とによって構成されるベース板と、
前記立設部の溝部に係止する挿入部及び前記立設部を覆う目地隠し部から構成される止め具とを備えたことを特徴とするクロス目地部材。
【請求項２】
前記ベース板、前記止め具は樹脂により製造されたことを特徴とする請求項１記載のクロス目地部材。
【請求項３】
前記立設部に形成の溝部と、この溝部に挿入の止め具の挿入部とは、互いに係止状態となる形状で有ることを特徴とする請求項１記載のクロス目地部材。
【考案の詳細な説明】
【技術分野】
【０００１】
この考案は、壁面に織物製壁紙（以下クロスと称する）を貼る場合に使用しクロスの端に形成される目地を覆う目地部材に関する。
【背景技術】
【０００２】
壁紙は裏面の接着剤により壁面に貼り付けられ、そして、壁紙の目地は壁紙同士をつきあわせたままとしているのが普通である。しかし、年を経ると接着剤が劣化して目地部分から剥離現象が生じやすくなる。
【０００３】
それを防ぐために、特許文献１では壁紙（クロスを含む）の継ぎ目部の下側に、壁紙めくれ防止テープ１を壁面に接着し、しかる後に、壁紙Ｐの継ぎ目部を壁紙のめくれ防止テープ１に貼着することで、目地の剥がれを防いでいる。
【特許文献１】特開２０００−３２８０１５号公報
【０００４】
また、同様の考えのもとに、特許文献２では壁紙の目地部分から剥離現象が生じないように、浸透性を防護するガスバリア性を有し、かつ耐薬品性を有し、しかも下地となる壁紙の表面に貼着することにより、壁紙の表面外観を殆ど変えることなく目地を被閉することができる建築壁紙の目地覆いテープが開示されている。
【特許文献２】特開平８−８２０６５号公報
【０００５】
壁紙も紙製ものから、雰囲気の良い織物製のものまで用いられるが、クロスも、紙製のものと同じように端は、突き合わせられたままである。
【考案の開示】
【考案が解決しようとする課題】
【０００６】
織物（布）製であるクロスは、その端を突き合わせたままにしておくと、織物の糸がほぐれやすく、見た目が悪い不具合がある。現在クロスは、紙製よりも雰囲気が良好なために、ホテルなどの使用が増加しているが、前記の目地部分の不具合があり、施工を注意深くしなければならない。
【０００７】
このため、この考案はクロス（織物製の壁紙）の突き合わせに生じる目地の見た目を改良すると共に、クロスの普及をはかることが出来るクロスの目地部材を提供することにある。
【０００８】
この課題を解決するため、この考案に係るクロス目地部材は、クロスとクロスの突き合わせに配され、クロスの壁面の間に位置する貼着部及び該貼着部から立設しクロスの端が接する立設部と、この立設部に形成された溝部とによって構成されるベース板と、前記立設部の溝部に係止する挿入部及び前記立設部を覆う目地隠し部から構成される止め具とにより構成される（請求項１）。
【０００９】
この構成から、まず一使用例を説明すると、ベース板をクロスの端に合わせ壁面上に立設する。そして、ベース板の貼着部の下面に接着剤を付け壁面に接着する。それから、隣に貼るクロスの端をベース板の立設部に接触させるように位置を合わせて、しかる後に貼付ける。また、前記ベース板、前記止め具は樹脂により製造されている（請求項２）。
【００１０】
そして、止め具を、その挿入部が前記ベース板の立設部に形成の溝部内に挿入することで、ベース板に取付ける。これにより、止め具の目地隠し部によりクロスの端が覆われ且つ挟まれることから、クロス端に形成される目地を完全に見えなくできる。また、前記立設部に形成の溝部と、この溝部に挿入の止め具の挿入部とは、互いに係止状態となる形状となっている（請求項３）。
【考案の効果】
【００１１】
以上のように、この考察によれば、クロスの端の突き合わせによる目地に配されるクロス目地部材により、クロスの端が見えずに、仮に糸がほつれても、そのような状態が止め具にて覆われて認識できず、クロスの雰囲気を壊すことにはならない。また、クロスの端が止め具に押さえられ、剥離も押さえられる（請求項１）。
【考案を実施するための最良の形態】
【００１２】
以下、この考察の実施例を図面に基づいて説明する。
【実施例１】
【００１３】
図において、クロス目地部材１は、樹脂により製造され、大別としてベース板２と止め具３より成っている。前記ベース板２は細長い貼着部４を備え、その貼着部４が接着剤により壁面１２に適宜に接着される。なお、接着剤に代えて予め取り付けられている両面テープにより接着することもできる。
【００１４】
前記貼着部４には、その長手方向に沿って立設する立設部５が設けられ、該立設部５にその長手方向に溝部６が形成されている。この溝部６内には、下記する止め具３の挿入部８と係止するための凹凸などの係止手段が形成されている。
【００１５】
前記止め具３は、断面半円形の細長い目地隠し部７が設けられ、この目地隠し部７には、その下面に且つ長手方向に沿って挿入部８が突出されている。この挿入部８は前記溝部６内で係止する凹凸などの係止手段が形成されている。
【００１６】
以上の構成において、この考察に係わるクロス目地部材１の使用例は、まずクロス１０を壁面１２に貼付ける。そして、クロス１０の端にクロス目地部材１を配するが、その端が立設部５に接するようにし、貼着部４を壁面１２に接着する。
【００１７】
それから、隣に貼るクロス１０に端を立設部５に接するように配し、該クロス１０を貼付ける。そして、止め具３をベース板２に取付ける。すると、目地隠し部７にて、クロス１０の突き合わせによる目地が覆われ、完全に目視できなくなる。それから、目地隠し部７にてクロス１０に端が押さえられ、剥離することが防がれる。
【００１８】
なお、ベース板２により、壁面１２との間に段差が生じるが、パテ１１を貼ることで防ぐことが出来る。
【図面の簡単な説明】
【００１９】
【図１】本願考案の実施例に係るクロス目地部材の概略の分解の構成図である。
【図２】本願考案の実施例に係るクロス目地部材の使用例の説明図である。
【符号の説明】
【００２０】
１  クロス目地材
２  ベース板
３  止め具
４  貼着部
５  立設部
６  溝部
７  目地隠し部
８  挿入部
１０  クロス
１１  パテ
１２  壁面
【図１】
0003128377.tif 000003
【図２】
0003128377.tif 000004
(57)【要約】【課題】肘乃至膝関節の屈曲・伸展何れの運動にも対応できる肘乃至膝関節用サポーターを提供することを課題とする。【解決手段】サポーター本体１の内部にポケット部２を形成し、ポケット部２には緩衝材４を装着した肘乃至膝関節用サポーターにおいて、サポーター本体１を縦・横２方向に伸縮する筒状の丸編みニット生地で構成し、ポケット部２を縦・横２方向に伸縮する生地で構成し、緩衝材４の両端及び上下にスリット３ａ，３ａ及び３ｂ、３ｂを形成したサポーター【選択図】図１
0003128372.tif 000002
【実用新案登録請求の範囲】
【請求項１】
縦・横２方向に伸縮する筒状の丸編みニット生地で構成された関節用サポーター。
【請求項２】
その内部にポケット部を形成し、該ポケット部には緩衝材を装着した請求項１記載の関節用サポーター。
【請求項３】
ポケット部を縦・横２方向に伸縮する生地で構成する請求項２記載の関節用サポーター。
【請求項４】
緩衝材の両端乃至左右にスリットを形成した請求項２記載の関節用サポーター。
【考案の詳細な説明】
【技術分野】
【０００１】
この考案は、運動時の動きに対応することができる膝乃至肘関節用サポーターに関するものである。
【背景技術】
【０００２】
肘乃至膝関節用サポーターとしては、従来筒状の丸編みニット生地で構成されるものが多く知られている（特開平9-285587号、特開2005-185629、実開昭56-11879、実用新案登録第3055723号）。
【特許文献１】特開平9-285587号、特開2005-185629、実開昭56-11879、実用新案登録第3055723号
【考案の開示】
【考案が解決しようとする課題】
【０００３】
一方、バレーボールのレシーブ・スパイク・ブロック等の運動時の膝関節の動きは、図４に示すように連続した屈曲・伸展運動で成立している。
【０００４】
また、運動時の肘関節の動きについても、図５に示すように連続した屈曲・伸展で成立している。
【０００５】
しかし、上述の従来の筒状丸編みサポーターを構成するニット生地はポリウレタンを含む弾性体を横方向に編み込み、専ら横方向に伸縮性を有することを特徴とし、これを使用した従来のサポーターはこのニット生地の特徴を生かして肘乃至膝関節が伸展した位置で最もフィットするように設計されたものである。
【０００６】
このため、上述のように運動時に肘乃至膝関節が屈曲・伸展運動を繰り返すと従来の筒状丸編みニット生地で構成されるサポーターの形状ではこの運動に追従できず、肌に密着せず、その結果サポーターの裏側にしわを生ずる等の欠点がある。
【課題を解決するための手段】
【０００７】
この考案は、上記実情に鑑み、縦・横２方向に伸縮する筒状の丸編みニット生地で構成された肘乃至膝関節用サポーターを提案するものである。
【考案の効果】
【０００８】
即ち、この考案に係わる筒状丸編みサポーター本体を構成するニット生地はポリウレタンを含む弾性体を縦・横両方向に編み込み、縦・横２方向に伸縮する特徴があり、このため上述のように運動時の屈曲・伸展運動の対応することができる。
【０００９】
具体的には、肘乃至膝関節をサポーター本体前面生地が縦・横２方向に伸展し、屈曲から伸展する際にはサポーター本体後面生地が縦・横２方向に伸展するためサポーター本体と肌の密着性が極めて高くなり、その結果サポーターの裏側にしわが生ずることがない。
【００１０】
また、床・グランドとの頻繁に接触する肘乃至膝関節用サポーターとしては、その内部にポケット部を形成し、該ポケット部には緩衝材を装着したものも市販されているが、この場合ポケット部を縦・横２方向に伸縮する生地で構成すれば、上述のような運動時の屈曲・伸展運動にもサポーター本体とともに追従して伸展するため、肌との密着性が極めて高くなり、サポーターの裏側にしわが生ずることがない。
【００１１】
なお、ここでポケット部を構成する縦・横２方向に伸縮する生地としては、ニット生地、パイル生地、トリコット生地等を挙げることができる。
【００１２】
更に、この場合緩衝材の両端及び上下にスリットを形成すれば、緩衝材についても肘乃至膝関節の屈曲・伸展運動にも追従させることができる。
【考案を実施するための最良の形態】
【００１３】
サポーター本体の内部にポケット部を形成し、該ポケット部には緩衝材を装着した肘乃至膝関節用サポーターにおいて、サポーター本体を縦・横２方向に伸縮する筒状の丸編みニット生地で構成し、ポケット部を縦・横２方向に伸縮する生地で構成し、緩衝材の両端及び上下にスリットを形成したサポーター。
【実施例１】
【００１４】
以下、この考案を図示の実施例に基づいて詳細に説明すると、１は縦・横２方向に伸縮する筒状の丸編みニット生地で構成された膝関節用のサポーター本体であり、２は縦・横２方向に伸縮するニット生地で構成され、サポーター本体１内部に逢着されたポケット部である。
【００１５】
ポケット部２内には、その両端部に傾斜角度３０度のスリット３ａ，３ａとその上下端部に傾斜角度３０度のスリット３ｂ，３ｂを形成した緩衝材４が装着される。
【００１６】
以上の構成において、この考案においてはサポート本体１が縦・横２方向に伸縮する筒状の丸編みニット生地で構成されているため、サポーター本体と肌の密着性が極めて高くなり、膝関節の屈曲・伸展運動何れにも対応できるため、サポーターの裏側にしわが生ずることがない。
【００１７】
更に、この実施例ではサポーター本体１の内部に逢着されたポケット部２も縦・横２方向に伸縮するニット生地で構成されるため、サポーター本体１とともに膝関節の屈曲・伸展何れも運動にも対応できる。
【００１８】
また、この実施例におけるサポーターではポケット部２内に緩衝材４が装着されているため、床・グランド等における摩擦接触した際の衝撃を和らげることができ、更に緩衝材４にはその両端部及び上下端部にそれぞれスリット３ａ，３ａ及びスリット３ｂ、３ｂが形成されているため、膝関節の屈曲・伸展何れの運動にも追従できる。
【産業上の利用可能性】
【００１９】
以上要するに、この考案によれば肘乃至膝関節の屈曲・伸展何れの運動にも対応できる肘乃至膝関節用サポーターを提供することができる。
【図面の簡単な説明】
【００２０】
【図１】この考案に係わるサポーターの正面図
【図２】同上のＡ−Ａ線断面図
【図３】同上の実施例における緩衝材の斜視図
【図４】膝関節の屈曲・伸展運動を示す図
【図５】肘関節の屈曲・伸展運動を示す図
【符号の説明】
【００２１】
１はサポーター本体
２はポケット部
４は緩衝材
３ａ，３ａは緩衝材の両端部に形成されるスリット
３ｂ、３ｂは緩衝材の上下端部に形成されるスリット
【図１】
0003128372.tif 000003
【図２】
0003128372.tif 000004
【図３】
0003128372.tif 000005
【図４】
0003128372.tif 000006
【図５】
0003128372.tif 000007
(57)【要約】【課題】  組合せ任意、実用便利、構造が合理的で丈夫、美観に勝れ容易に解体及び運搬できる愛玩動物用の家具を提供するにある。【解決手段】  複数の柱１と複数の接続部材２を適宣組合わせて全体をジャングルジム状とし、ハンモック３や、トンネル部材４を適宣取付け猫等の遊び場所とする。【選択図】  図１
0003128373.tif 000002
【実用新案登録請求の範囲】
【請求項１】
組立式の愛玩動物用の家具において、複数の柱と複数の接続部材を備え、前記複数の接続部材各々に対して前記複数の柱各々を接続し、全体をジャングルジム状に組立てると共に、そのジャングルジム状の組立て家具にハンモック、トンネル部材、樹、円盤、及び吊り棒等を取付け、且つ下部に梯子を設けて成る組立式の愛玩動物用の家具。
【請求項２】
前記柱の外面は、サイザルアサ、ブラッシュ、じゅうたん等によって被覆されていると共に、その両端は前記接続部材に接続できるようになっていることを特徴とする請求項１記載の組立式愛玩動物用の家具。
【請求項３】
前記複数の接続部材は２通り、又は３通り、又は４通り、又は５通り、又は６通りに柱を接続することができることを特徴とする請求項１記載の組立式の愛玩動物用の家具。
【考案の詳細な説明】
【技術分野】
【０００１】
本考案は、猫等の愛玩動物の生活場所に関わるものであり、更に具体的に言えば組立式の猫等の愛玩動物用の家具に関する。
【背景技術】
【０００２】
現在人々の生活水準が高くなるにつれて、愛玩動物が段々と人々に好感が持たれ、愛玩動物の保有率も段々と高くなってきている。家庭で愛玩動物を飼うときに愛玩動物に１つの活動、生活の空間を与えなければ成らず、さもなければ人畜が混同して、不衛生で不便でもある。
【考案の開示】
【考案が解決しようとする課題】
【０００３】
本考案が解決すべき技術問題は、即ち上記技術の不足を克服することであり、組合せ任意、実用便利、構造が合理的で、丈夫、美観、容易に解体及び運搬できる組立式の愛玩動物用の家具を提供するにある。
【課題を解決するための手段】
【０００４】
上記目的を達成する為に本考案は、組立式の愛玩動物用の家具において、複数の柱と複数の接続部材を備え、前記複数の接続部材各々に対し前記複数の柱各々を接続し、全体をジャングルジム状に組立てると共に、そのジャングルジム状の組立て家具にハンモック、トンネル、樹、円盤及び吊り棒等を設ける。
【考案の効果】
【０００５】
こうすることによって、本考案の構成部材は構造が簡単、組合せ便利、任意で、融通性があり、構造美観で実用的、受ける力が強く、頑丈で、完全に解体可能で、搬送が容易となる組立式の愛玩動物用の家具とすることができる。
【考案を実施するための最良の形態】
【０００６】
次に添付図面に従がい本考案の実施例を説明する。
【実施例】
【０００７】
図１に示すうに、ジャングルジム状の組立式の猫等の愛玩動物用の家具で、複数の柱１と複数の接続部材２の組合せで成っている。その中で、柱１の外表面は、例えばサイザルアサ、ブラッシュ、耐ひっかけのじゅうたん等の材料で被覆することができ、その両端は全て接続端にすることができ、複数の接続部材２に対して接続して使用する。
【０００８】
前記接続部材２は複数通りの接続部材にすることができ、例えば２通り、３通り、４通り、５通り、６通りの如くである。即ち、２つの柱を左右，前後，上下又はL字状等に接続することのできる２通りの接続をもつ接続部材、３つの柱をＴ字状等に接続することのできる３通りの接続をもつ接続部材、４つの柱を十字状等に接続することのできる４通りの接続をもつ接続部材、５つの柱や６つの柱を接続することのできる接続部材である。
【０００９】
使用者は、個人の好みに依って、適当な色、様式の柱及び接続部材を選択し、ふさわしい、組立を選択してジャングルジム状の基本枠組みを構築し、然る後にそれぞれの適当な位置にハンモック３、トンネル部材４、樹５、円盤６及び吊り棒７を設け、ブランコ及び滑り台等の施設を設けることもできる。
上記に於いて、接続部材２と柱１の接続は、図１の例では接続部材２の接続口に柱１を差込む方式を示してあるが、その他スナップ，ボタン方式等にて接続するようにしてもよい。このように複数の柱１と複数の接続部材２を用いてジャングルジム状に任意の大きさ、形に組立てることによって猫等の愛玩動物の遊び、ちょっと休む場所等に供する。そしてこの家具の下部において梯子８を設け、猫等の愛玩動物の上り下りに便利に使用される。使用者は、個人の必要に応じて、空間の大きさ，愛玩動物の数等の状況に従って異なる部材の組合せを選択し異なる家具を得ることができる。
【図面の簡単な説明】
【００１０】
【図１】本考案の組立式の愛玩動物用の家具の一実施例を示す斜視図である。
【符号の説明】
【００１１】
１      柱
２      接続部材
３      ハンモック
４      トンネル部材
５      樹
６      円盤
７      吊り棒
８      梯子
【図１】
0003128373.tif 000003